(57)【要約】【課題】  封筒のあて先を改変されたり、別のあて先を表示した封筒に差し替えられて、正規の送付先でない別のあて先に送られることにより、個人情報が窃取されのを未然に防止する隠蔽用紙付き封筒を提供する。【課題の解決手段】  隠蔽用紙付き封筒１は、封筒上紙２と封筒下紙３を三周辺で接着し、一辺を開口してなる封筒５を備え、封筒下紙３の開口辺には切り用ミシン目６を介して補助片７を連接し、封筒上紙の開口辺と反対側の接着辺には切り用ミシン目８を介して綴じ片１０を連接し、封筒上紙２の表面には封筒５のあて先をあらかじめ表示する一方、封筒上紙２の表面側にあて先を被覆隠蔽する隠蔽用紙１６を重ねて、この隠蔽用紙１６の対向する一対の辺において、補助片７と綴じ片１０にそれぞれ綴じ合わせ、隠蔽用紙１６には綴じ合わせた各辺と平行に延びる切り用ミシン目１９を設けたものである。【選択図】    図２
2007001607.tif 000002
【特許請求の範囲】
【請求項１】
封筒上紙と封筒下紙を三周辺で接着し、一辺を開口してなる封筒を備え、前記封筒下紙の開口辺には切り用ミシン目を介して補助片を連接し、前記封筒上紙の開口辺と反対側の接着辺には切り用ミシン目を介して綴じ片を連接し、前記封筒上紙の表面には封筒のあて先をあらかじめ表示する一方、前記封筒上紙の表面側に前記あて先を被覆隠蔽する隠蔽用紙を重ねて、この隠蔽用紙の対向する一対の辺において、前記補助片と前記綴じ片にそれぞれ綴じ合わせ、前記隠蔽用紙には綴じ合わせた各辺と平行に延びる切り用ミシン目を設けたことを特徴とする隠蔽用紙付き封筒。
【請求項２】
隠蔽用紙の上に、申込書と、各種情報を表示した情報表示用紙とを重ねて、これら隠蔽用紙、申込書、情報表示用紙を、前記隠蔽用紙における一方の綴じ合わせ辺側において互いに綴じ合わせるとともに、前記申込書は分離可能に構成したことを特徴とする請求項１記載の隠蔽用紙付き封筒。
【発明の詳細な説明】
【技術分野】
【０００１】
本発明は、各種の申込書を封入して申込先に郵送するために、あらかじめあて先が表示された封筒に関し、特にあて先を隠蔽する隠蔽用紙を設けてなる隠蔽用紙付き封筒に関する。
【背景技術】
【０００２】
従来から、金融機関などの各種サービスを受けるための申込書を郵送する封筒は、別に用意した申込書やパンフレットとともにフィルム袋に収納したり、申込書やパンフレットと一体化したものを折り畳んで、店内に置いているのが一般的である。そして、封筒には、申込者の便宜を考慮してあらかじめあて先を表示している。
【特許文献１】実開平１−１１２９７５号公報
【発明の開示】
【発明が解決しようとする課題】
【０００３】
ところが、店内におけるフィルム袋や折り畳んだ申込書付き封筒の持ち出しは自由なため、封筒のあて先を改変されたり、別のあて先を表示した封筒に差し替えられる可能性がある。そして、このような不正行為がなされると、申込者の個人情報を記入した申込書が、正規の送付先でない別のあて先に送られて、個人情報が窃取されてしまう事態を生じる。本発明は、このような事態が生じるのを防止する隠蔽用紙付き封筒を提供することを目的とする。
【課題を解決するための手段】
【０００４】
この目的を達成するため本発明の請求項１に係る隠蔽用紙付き封筒は、封筒上紙と封筒下紙を三周辺で接着し、一辺を開口してなる封筒を備え、前記封筒下紙の開口辺には切り用ミシン目を介して補助片を連接し、前記封筒上紙の開口辺と反対側の接着辺には切り用ミシン目を介して綴じ片を連接し、前記封筒上紙の表面には封筒のあて先をあらかじめ表示する一方、前記封筒上紙の表面側に前記あて先を被覆隠蔽する隠蔽用紙を重ねて、この隠蔽用紙の対向する一対の辺において、前記封筒下紙に連接した補助片と前記封筒上紙に連接した綴じ片にそれぞれ綴じ合わせ、前記隠蔽用紙には綴じ合わせた各辺と平行に延びる切り用ミシン目を設けたものである。
【０００５】
また、同じく上記目的を達成するために本発明の請求項２に係る隠蔽用紙付き封筒は、上記請求項１の構成において、隠蔽用紙の上に、申込書と、案内文、説明文、宣伝広告文などの各種情報を表示した情報表示用紙とを重ねて、これら隠蔽用紙、申込書、情報表示用紙を、前記隠蔽用紙における一方の補助片との綴じ合わせ辺側において互いに綴じ合わせるとともに、前記申込書は切り用ミシン目を形成するなどによって分離可能に構成したものである。
【発明の効果】
【０００６】
本発明の請求項１に係る隠蔽用紙付き封筒によれば、封筒のあて先が切り用ミシン目を破断しなければ封筒から分離できない隠蔽用紙で被覆隠蔽されているので、あて先の改変や封筒の差し替えという不正行為を行うことが困難であるとともに、不正行為をしたか否かを視覚によって容易に判断することができ、しいては個人情報の窃取を未然に防止できる、という効果を奏する。
【０００７】
本発明の請求項２に係る隠蔽用紙付き封筒によれば、隠蔽用紙と申込書及び情報表示用紙を一体的に設けたので、上記効果はより向上するという効果を奏する。
【発明を実施するための最良の形態】
【０００８】
以下、本発明の好適な実施形態について添付図面に基づき説明する。ここにおいて、図１は隠蔽用紙付き封筒の平面図、図２はそのＡ−Ａ線端面図、図３は同じくＢ−Ｂ線端面図、図４は申込書の平面図、図５は隠蔽用紙の平面図、図６は封筒と補助片の平面図である。
【０００９】
図２及び図３に示すように、隠蔽用紙付き封筒１は、封筒上紙２と封筒下紙３を三周辺で接着剤４により接着し、一辺を開口してなる封筒５を備えている。前記封筒下紙３の開口辺には切り用ミシン目６を介して補助片７を連接する一方、前記封筒上紙２と前記封筒下紙３の開口辺と反対側の接着辺には、それぞれ切り用ミシン目８，９を介して綴じ片１０，１１を連接し、これら綴じ片１０，１１同士を接着剤１２で綴じ合わせている。また、前記封筒上紙３の裏面における開口辺近傍には、封緘用のアスティックテープ１３を設けて、封緘片としている。
【００１０】
図６に示すように、封筒上紙２の表面には、封筒５のあて先１４と隠蔽用紙付き封筒１を置く店舗固有の店舗コード１５あらかじめ表示し、図２及び図３に示すように、前記封筒上紙２の表面側に前記あて先１４を被覆隠蔽する隠蔽用紙１６を重ねて、この隠蔽用紙１６の対向する一対の辺において、封筒下紙３に連接した補助片７と前記封筒上紙２に連接した綴じ片１０にそれぞれ接着剤１７，１８で綴じ合わせている。また、前記隠蔽用紙１６には綴じ合わせた各辺と平行に延びる切り用ミシン目１９を設けている。
【００１１】
図５に示すように、隠蔽用紙１６の表面には、切り用ミシン目１９の左右に説明文２０，２１をあらかじめ表示している。これら説明文２０，２１は、例えば、説明文２０は後述する申込書に記載される個人情報の取扱に関する説明であり、説明文２１は隠蔽用紙付き封筒１の使用方法に関する説明である。
【００１２】
図２及び図３に示すように、隠蔽用紙１６の上に、申込書２２と、２枚の情報表示用紙２３，２４とを重ねて、これら隠蔽用紙１６、申込書２２、各情報表示用紙２３，２４を、前記隠蔽用紙１６の補助片７との綴じ合わせ辺側において、接着剤２５，２６，２７により綴じ合わせている。また、前記申込書２２は綴じ合わせ部分の内側に切り用ミシン目２８を設けて分離可能としている。
【００１３】
図１に示すように、最上位の情報表示用紙２４の表面には「○○入会のご案内」という表題を中央から右側に表示し、その下に案内文２９を全体にわたって表示してあり、また、図示してはいないが、情報表示用紙２３の表面には、宣伝広告文を表示してある。一方、図４に示すように、申込書２２の表面には、「入会申込書」という表題の下に申込情報記入欄３０を表示し、さらにその下に、封筒上紙２に表示した店舗コード１５と同一内容の店舗コード３１を表示している。
【００１４】
続いて、上述した隠蔽用紙付き封筒１の使用方法について説明する。この隠蔽用紙付き封筒１は、図１のＢ−Ｂ線部分で情報表示用紙２４を外側にして二つ折りし、「○○入会のご案内」という表題が表出した状態で、必要に応じてフィルム袋に収納して、銀行やコンビニエンスストア等の店舗内に置かれる。入会申込希望者は、この隠蔽用紙付き封筒１を持ち帰るのであるが、隠蔽用紙付き封筒１は、正規状態であれば、封筒上紙２のあて先表示面が隠蔽用紙１６によって被覆され、あて先１４は隠蔽されている一方、切り用ミシン目１９が破断される等してあて先１４が露出状態にあれば、不正規状態と視覚により容易に判断できるので、個人情報の窃取を未然に防ぐことができる。
【００１５】
申込希望者は隠蔽用紙付き封筒１が正規状態にあることを確認した後、隠蔽用紙１６に表示された説明文２１にしたがって、申込書２２を切り用ミシン目を２８から切り離す一方、隠蔽用紙１６の補助片７対応部分を押さえるとともに、隠蔽用紙１６と封筒下紙３の綴じ片１０，１１側を上下から摘んで引っ張ると、各切り用ミシン目６，１９が破断して、封筒５は隠蔽用紙１６の切り用ミシン目１９から右側部分とともに切り離される。続いて、各切り用ミシン目８，９を破断すれば、各綴じ片１０，１１は封筒上紙２及び封筒下紙３からそれぞれ切り離され、封筒５が使用可能状態となる。
【００１６】
したがって、所定事項を記入した申込書２２を封筒５に挿入し、アスティックテープ１３を剥離して、封筒上紙２の封緘片部分を封筒下紙３に折り重ねれば、封緘状態となって、前記封筒上紙２に表示された正規のあて先に郵送可能となる。一方、この封筒５を受領した送付先では、開封後、封筒上紙２と申込書２２に表示された店舗コード１５，３１を照合、確認して正規の店舗に置かれていたものか否かの確認ができる。
【００１７】
なお、本発明は、上述の実施形態に限定されるものではなく、例えば、封筒下紙３に連接した綴じ片１１は必ずしも設ける必要はない。また、情報表示用紙２３，２４の数は２枚に限定されず、１枚でもよいし、３枚以上でもよいほか、これらを別体として構成してもよい。さらに、申込書２２は隠蔽用紙付き封筒１に綴じ込まず、別体に構成してもよい。またさらに、隠蔽用紙１６と、申込書２２及び各情報表示用紙２３，２４の綴じ合わせは、綴じ片１０側で行ってもよいものである。
【図面の簡単な説明】
【００１８】
【図１】隠蔽用紙付き封筒の平面図。
【図２】図１のＡ−Ａ線端面図。
【図３】図１のＢ−Ｂ線端面図。
【図４】申込書の平面図。
【図５】隠蔽用紙の平面図。
【図６】封筒と補助片の平面図。
【符号の説明】
【００１９】
１      隠蔽用紙付き封筒
２      封筒上紙
３      封筒下紙
４，１２，１７，１８，２５，２６，２７      接着剤
５      封筒
６，８，９，１９，２８      切り用ミシン目
７      補助片
１０，１１      綴じ片
１３      アスティックテープ
１４      あて先
１５，３１      店舗コード
１６      隠蔽用紙
２０，２１      説明文
２２      申込書
２３，２４      情報表示用紙
２９      案内文
３０      申込情報記入欄
【図１】
2007001607.tif 000003
【図２】
2007001607.tif 000004
【図３】
2007001607.tif 000005
【図４】
2007001607.tif 000006
【図５】
2007001607.tif 000007
【図６】
2007001607.tif 000008